(57)【要約】【課題】光取り出し効率が高い有機ＬＥＤ素子用の積層基板を提供すること。【解決手段】積層基板１１は、透明基板２０、透明基板２０上に設けられる凹凸層３０、及び凹凸層３０の凹凸面上に設けられる平坦化層４０を備え、有機層６０の発光光を、平坦化層４０、及び凹凸層３０を介して、透明基板２０における凹凸層３０側と反対側の面から外部に取り出すためのものである。凹凸層３０は、基材３３、及び基材３３中に分散する光散乱材３４を含む。【選択図】図１
2014013668.tif 000002
【特許請求の範囲】
【請求項１】
透明基板、該透明基板上に設けられる凹凸層、及び該凹凸層の凹凸面上に設けられる平坦化層を備え、有機層の発光光を、前記平坦化層、及び前記凹凸層を介して、前記透明基板における前記凹凸層側と反対側の面から外部に取り出すためのものであって、
前記凹凸層は、基材、及び該基材中に分散する光散乱材を含む、有機ＬＥＤ素子用の積層基板。
【請求項２】
前記凹凸層中の光散乱材は金属酸化物の粒子であって、該粒子の平均粒径が３００ｎｍ〜１０μｍである請求項１に記載の有機ＬＥＤ素子用の積層基板。
【請求項３】
前記平坦化層は、基材、及び該基材中に分散する光散乱材を含む、請求項１又は２に記載の有機ＬＥＤ素子用の積層基板。
【請求項４】
透明基板、該透明基板上に設けられる凹凸層、及び該凹凸層の凹凸面上に設けられる平坦化層を備え、有機層の発光光を、前記平坦化層、及び前記凹凸層を介して、前記透明基板における前記凹凸層側と反対側の面から外部に取り出すためのものであって、
前記平坦化層は、基材、及び該基材中に分散する光散乱材を含む、有機ＬＥＤ素子用の積層基板。
【請求項５】
前記平坦化層中の光散乱材は金属酸化物の粒子であって、該粒子の平均粒径が３００ｎｍ〜１０μｍである請求項３又は４に記載の有機ＬＥＤ素子用の積層基板。
【請求項６】
前記凹凸層は、回折格子を形成する請求項１〜５のいずれか一項に記載の有機ＬＥＤ素子用の積層基板。
【請求項７】
前記凹凸層は、複数のプリズムを形成する請求項１〜５のいずれか一項に記載の有機ＬＥＤ素子用の積層基板。
【請求項８】
前記凹凸層は、複数のレンズを形成する請求項１〜５のいずれか一項に記載の有機ＬＥＤ素子用の積層基板。
【請求項９】
前記凹凸層は、モスアイ構造を有する請求項１〜５のいずれか一項に記載の有機ＬＥＤ素子用の積層基板。
【請求項１０】
請求項１〜９のいずれか一項に記載の積層基板、及び該積層基板の前記平坦化層上に設けられる透明電極を含む透明電極付き積層基板。
【請求項１１】
請求項１〜９のいずれか一項に記載の積層基板、及び該積層基板の前記平坦化層上に設けられる発光素子を含む有機ＬＥＤ素子。
【発明の詳細な説明】
【技術分野】
【０００１】
本発明は、有機ＬＥＤ素子用の積層基板、及び有機ＬＥＤ素子に関する。
【背景技術】
【０００２】
有機ＬＥＤ素子は、透明基板、透明電極、有機層、及び反射電極をこの順で有する。有機層の発光光は、透明電極、及び透明基板を透過し、透明基板の取り出し面から外部に放出される。透明電極から該透明電極よりも低い屈折率の透明基板に臨界角以上の入射角で入射する光は、透明電極と透明基板との界面で全反射される。また、透明基板から該透明基板よりも低い屈折率の空気に臨界角以上の入射角で入射する光は、透明基板と空気との界面で全反射される。光取り出し面と反射電極との間を何度も往復する間に、光は熱に変換されるか、有機ＬＥＤ素子の側面から放出される。
【０００３】
そこで、光取り出し効率を向上するため、透明電極と透明基板との間に凹凸層を設ける技術が提案されている（例えば、特許文献１参照）。凹凸層は透過型の回折格子を形成する。透明電極から回折格子に入射する光のうち、大部分は回折格子を透過し、残部は回折格子で反射される。
【０００４】
回折格子で反射される光は、回折格子による干渉効果によって入射角よりも小さい反射角で反射するので、反射電極で反射され回折格子に再度入射するとき、ほとんどの光は回折格子を透過する。
【０００５】
回折格子を透過する光は、０次回折光、１次回折光、２次回折光等に分かれ、透明基板の光取り出し面に入射する。この入射角が臨界角未満の光は、光取り出し面から外部に放出される。一方、この入射角が臨界角以上の光の大部分は、光取り出し面で全反射された後、光取り出し面と反射電極との間を１回以上往復する間に、回折格子を透過することで、臨界角未満の入射角に変化し、最終的に光取り出し面から外部に放出される。
【先行技術文献】
【特許文献】
【０００６】
【特許文献１】特開平１１−２８３７５１号公報
【発明の概要】
【発明が解決しようとする課題】
【０００７】
従来の技術では、十分な光取り出し効率が得られなかった。
【０００８】
本発明は、上記課題に鑑みてなされたものであって、光取り出し効率が高い有機ＬＥＤ素子用の積層基板の提供を目的とする。
【課題を解決するための手段】
【０００９】
上記目的を解決するため、本発明の一態様による有機ＬＥＤ素子用の積層基板は、
透明基板、該透明基板上に設けられる凹凸層、及び該凹凸層の凹凸面上に設けられる平坦化層を備え、有機層の発光光を、前記平坦化層、及び前記凹凸層を介して、前記透明基板における前記凹凸層側と反対側の面から外部に取り出すためのものであって、
前記凹凸層は、基材、及び該基材中に分散する光散乱材を含む。
【発明の効果】
【００１０】
本発明によれば、光取り出し効率が高い有機ＬＥＤ素子用の積層基板が提供される。
【図面の簡単な説明】
【００１１】
【図１】本発明の第１実施形態による有機ＬＥＤ素子を示す断面図
【図２】図１の透過型の回折格子によって光の全反射が低減されることを説明するための図である。
【図３】レイリー散乱の概念図
【図４】ミー散乱の概念図
【図５】ミー散乱によって光の向きが正面方向に揃うことを確認するためのシミュレーションのモデル図
【図６】シミュレーションの結果を示す図
【図７】第１実施形態の第１変形例による有機ＬＥＤ素子を示す断面図
【図８】第１実施形態の第２変形例による有機ＬＥＤ素子を示す断面図
【図９】本発明の第２実施形態による有機ＬＥＤ素子を示す断面図
【図１０】図９のプリズムによって光の全反射が低減されることを説明するための図
【図１１】第２実施形態の第１変形例による有機ＬＥＤ素子を示す断面図
【図１２】第２実施形態の第２変形例による有機ＬＥＤ素子を示す断面図
【図１３】本発明の第３実施形態による有機ＬＥＤ素子を示す断面図
【図１４】図１３のレンズによって光の全反射が低減されることを説明するための図
【図１５】第３実施形態の第１変形例による有機ＬＥＤ素子を示す断面図
【図１６】第３実施形態の第２変形例による有機ＬＥＤ素子を示す断面図
【図１７】本発明の第４実施形態による有機ＬＥＤ素子を示す断面図
【図１８】図１７のモスアイ構造による光の透過の説明図
【図１９】第４実施形態の第１変形例による有機ＬＥＤ素子を示す断面図
【図２０】第４実施形態の第２変形例による有機ＬＥＤ素子を示す断面図
【発明を実施するための形態】
【００１２】
以下、本発明を実施するための形態について図面を参照して説明する。各図面において、同一の又は対応する構成には、同一の又は対応する符号を付して、説明を省略する。
【００１３】
［第１実施形態］
図１は、本発明の第１実施形態による有機ＬＥＤ素子を示す断面図である。図１において、便宜上、凹凸層３０の凹凸を誇張して示す。
【００１４】
有機ＬＥＤ素子１０は、ボトムエミッションタイプであって、透明基板２０、凹凸層３０、平坦化層４０、透明電極５０、有機層６０、及び反射電極７０をこの順で有する。透明基板２０、凹凸層３０、及び平坦化層４０で積層基板１１が構成され、透明電極５０、有機層６０、及び反射電極７０等で発光素子１２が構成される。照明用の場合、１つの発光素子１２が平坦化層４０上に形成されてよい。画像表示用の場合、発光素子１２は画素毎に設けられ、複数の発光素子１２が平坦化層４０上に配列される。
【００１５】
有機層６０の発光光は、透明電極５０、平坦化層４０、凹凸層３０、透明基板２０を透過し、透明基板２０の光取り出し面２１から外部に放出される。光取り出し面２１は、透明基板２０における凹凸層３０側と反対側の面である。
【００１６】
本実施形態では、凹凸層３０が回折格子３１を形成する。回折格子３１は、平坦化層４０側に設けられる。以下の説明で、回折格子３１での入射角、反射角は、光取り出し面２１に対して垂直な方向（以下、「正面方向」という）と、光の進行方向とのなす角を意味する。
【００１７】
（透明基板）
透明基板２０は、例えばガラス基板、樹脂基板であってよい。透明基板２０は、耐湿性の高いガラス基板であることが好ましい。ガラス基板のガラスとしては、アルカリガラス、ホウケイ酸ガラス、及び石英ガラス等が挙げられる。一般的には、ソーダライムガラス等のアルカリシリケートガラスが用いられる。ガラスの屈折率は、例えば１．４〜１．９である。透明基板２０の屈折率は、透明電極５０の屈折率以下であることが好ましい。樹脂基板の樹脂としては、アクリル樹脂、ポリカーボネート樹脂等が挙げられる。樹脂基板の耐湿性を高めるため、樹脂基板上に耐湿バリア層が設けられてよい。耐湿バリア層は、酸化ケイ素等の金属酸化物、窒化ケイ素等の金属窒化物、ダイヤモンドライクカーボン（ＤＬＣ）、ガラス等で形成される。
【００１８】
本明細書において、「屈折率」とは、Ｈｅランプｄ線（波長：５８７．６ｎｍ）を用いて２５℃で測定した屈折率を意味する。屈折率はアッベの屈折率計により測定される。
【００１９】
透明基板２０の厚さは、例えば０．００１ｍｍ〜２．０ｍｍである。好ましくは０．００１ｍｍ〜１．０ｍｍである。
【００２０】
（透明電極）
透明電極５０は、有機層６０に正孔を供給する陽極である。透明電極５０の材料としては、ＩＴＯ（Ｉｎｄｉｕｍ  Ｔｉｎ  Ｏｘｉｄｅ）、ＳｎＯ２、ＺｎＯ、ＩＺＯ（Ｉｎｄｉｕｍ  Ｚｉｎｃ  Ｏｘｉｄｅ）、ＡＺＯ（ＺｎＯ−Ａｌ２Ｏ３：アルミニウムがドーピングされた亜鉛酸化物）、ＧＺＯ（ＺｎＯ−Ｇａ２Ｏ３：ガリウムがドーピングされた亜鉛酸化物）、ＮｂドープＴｉＯ２、ＴａドープＴｉＯ２等が挙げられる。これらの材料の屈折率は、例えば１．７〜２．２である。透明電極５０は、２種以上の材料を用いて形成される積層膜であってもよい。
【００２１】
透明電極５０の厚さは、例えば５０ｎｍ以上である。５０ｎｍ未満では、電気抵抗が高くなる。
【００２２】
（有機層）
有機層６０は、一般的な構成であってよく、少なくとも発光層を含み、必要に応じて正孔注入層、正孔輸送層、電子輸送層、電子注入層を含む。例えば、有機層６０は、陽極側から、正孔注入層、正孔輸送層、発光層、電子輸送層、及び電子注入層をこの順で含む。
【００２３】
正孔注入層は、陽極とのイオン化ポテンシャルの差が小さい材料で形成される。高分子では、ポリスチレンスルフォン酸（ＰＳＳ）がドープされたポリエチレンジオキシチオフェン（ＰＥＤＯＴ：ＰＳＳ）等が用いられる。低分子では、フタロシアニン系の銅フタロシアニン（ＣｕＰｃ）等が用いられる。
【００２４】
正孔輸送層は、正孔注入層から注入された正孔を発光層に輸送する。正孔輸送層の材料としては、例えば、トリフェニルアミン誘導体、Ｎ，Ｎ'−ビス（１−ナフチル）−Ｎ，Ｎ'−ジフェニル−１，１'−ビフェニル−４，４'−ジアミン（ＮＰＤ）、Ｎ，Ｎ'−ジフェニル−Ｎ，Ｎ'−ビス［Ｎ−フェニル−Ｎ−（２−ナフチル）−４'−アミノビフェニル−４−イル］−１，１'−ビフェニル−４，４'−ジアミン（ＮＰＴＥ）、１，１−ビス［（ジ−４−トリルアミノ）フェニル］シクロヘキサン（ＨＴＭ２）及びＮ，Ｎ'−ジフェニル−Ｎ，Ｎ'−ビス（３−メチルフェニル）−１，１'−ジフェニル−４，４'−ジアミン（ＴＰＤ）等が用いられる。正孔輸送層の厚さは、１０ｎｍ〜１５０ｎｍが好ましい。厚さは薄ければ薄いほど低電圧化できるが、電極間短絡の問題から１０ｎｍ〜１５０ｎｍであることが好ましい。
【００２５】
発光層は、陽極及び陰極から注入された電子と正孔との再結合によって生じるエネルギーで発光する。発光層におけるホスト材料への発光色素のドーピングは、高い発光効率を得ると共に、発光波長を変換させる。発光層の有機材料には、低分子系と高分子系の材料がある。さらに、発光機構によって、蛍光材料、りん光材料に分類される。発光層の有機材料には、例えば、トリス（８−キノリノラート）アルミニウム錯体（Ａｌｑ３）、ビス（８−ヒドロキシ）キナルジンアルミニウムフェノキサイド（Ａｌｑ′２ＯＰｈ）、ビス（８−ヒドロキシ）キナルジンアルミニウム−２，５−ジメチルフェノキサイド（ＢＡｌｑ）、モノ（２，２，６，６−テトラメチル−３，５−ヘプタンジオナート）リチウム錯体（Ｌｉｑ）、モノ（８−キノリノラート）ナトリウム錯体（Ｎａｑ）、モノ（２，２，６，６−テトラメチル−３，５−ヘプタンジオナート）リチウム錯体、モノ（２，２，６，６−テトラメチル−３，５−ヘプタンジオナート）ナトリウム錯体及びビス（８−キノリノラート）カルシウム錯体（Ｃａｑ２）等のキノリン誘導体の金属錯体、テトラフェニルブタジエン、フェニルキナクドリン（ＱＤ）、アントラセン、ペリレン並びにコロネン等が挙げられる。ホスト材料としては、キノリノラート錯体が好ましく、特に、８−キノリノール及びその誘導体を配位子としたアルミニウム錯体が好ましい。
【００２６】
電子輸送層は、電極から注入された電子を輸送する。電子輸送層の材料としては、例えば、キノリノールアルミニウム錯体（Ａｌｑ３）、オキサジアゾール誘導体（例えば、２，５−ビス（１−ナフチル）−１，３，４−オキサジアゾール（ＢＮＤ）及び２−（４−ｔ−ブチルフェニル）−５−（４−ビフェニル）−１，３，４−オキサジアゾール（ＰＢＤ）等）、トリアゾール誘導体、バソフェナントロリン誘導体、シロール誘導体等が用いられる。
【００２７】
電子注入層は、例えば陰極表面にリチウム（Ｌｉ）、セシウム（Ｃｓ）等のアルカリ金属をドーピングした層であってよい。
【００２８】
（反射電極）
反射電極７０は、有機層６０に電子を供給する陰極である。反射電極７０は、有機層６０の発光光を有機層６０側に反射する。
【００２９】
反射電極７０は、アルカリ金属（例えばＡｌ）、アルカリ土類金属（例えばＭｇ）、周期表第３族の金属のうち少なくともいずれか１種を含む。例えば、反射電極７０は、ＭｇＡｇの共蒸着膜、ＬｉＦ若しくはＬｉ２Ｏの薄膜蒸着膜の上にＡｌを蒸着した積層膜、又はアルカリ土類金属（例えばＣａ、Ｂａ）の層にアルミニウム（Ａｌ）を積層した積層膜であってよい。
【００３０】
（凹凸層）
凹凸層３０は、例えばインプリント法で透明基板２０上に形成される。インプリント法では、透明基板２０とモールドとの間に成形材料の層を挟み、モールドの凹凸パターンが転写した凹凸層３０を透明基板２０上に形成する。凹凸層３０の凹凸パターンは、モールドの凹凸パターンが略反転したパターンである。
【００３１】
透明基板２０がガラス基板の場合、ガラス基板は、ガラスと成形材料との密着を高めるため、予め表面処理が施されたものであってよい。表面処理としては、プライマー処理、オゾン処理、プラズマエッチング処理等が挙げられる。プライマーとしては、シランカップリング剤、シラザン等が用いられる。
【００３２】
光インプリント法では、光硬化性樹脂を含む成形材料の層の表面にモールドの凹凸パターンを押し付け、光を照射し、成形材料の層を固化（硬化）させることで凹凸層３０を形成する。
【００３３】
光硬化性樹脂を硬化させる光としては、例えば紫外光、可視光、赤外光等が挙げられる。紫外光の光源としては、紫外線蛍光灯、紫外線ＬＥＤ、低圧水銀灯、高圧水銀灯、超高圧水銀灯、キセノン灯、炭素アーク灯等が挙げられる。可視光の光源としては、可視光蛍光灯、可視光白熱灯、可視光ＬＥＤ等が用いられる。
【００３４】
光インプリント法では、室温での成型が可能であり、モールドと透明基板２０との線膨張係数差による歪みが発生しにくく、転写精度が良い。尚、硬化反応の促進のため、成形材料の層は加熱されてもよい。
【００３５】
一方、熱インプリント法では、熱可塑性樹脂を含む成形材料の層を加熱により軟化し、軟化した成形材料の層の表面にモールドを押し付け、成形材料の層を冷却して固化させることで、凹凸層３０を形成する。
【００３６】
加熱源としては、加熱光を照射する光源（例えばハロゲンランプ、レーザ）、ヒータ等が用いられる。加熱温度は、熱可塑性樹脂のガラス転移温度以上である。
【００３７】
成形材料の層は、必要に応じて、後述の光散乱材を含む。
【００３８】
尚、本実施形態の凹凸層３０は、インプリント法で形成されるが、フォトリソグラフィ法、ＥＢ描画法、干渉露光法等で形成されてもよい。
【００３９】
凹凸層３０は、透過型の回折格子３１を形成する。回折格子３１は２次元の回折格子であってよい。回折格子３１は複数の凸部を有し、複数の凸部の底面は同一平面上に配列される。複数の凸部は、周期的に配列され、例えば正六方格子状、準六方格子状、正四方格子状、準四方格子状に配列される。最も近い凸部同士のピッチＰ１は、可視光の波長の１倍〜数倍程度（３００ｎｍ＜Ｐ１≦５μｍ）であり、凹凸層３０の屈折率や平坦化層４０の屈折率、凸部の高さＨ１等に応じて適宜設計されるが、例えば５００ｎｍである。凸部の高さＨ１は、１０ｎｍ以上５μｍ以下である。１０ｎｍ以上であると十分な回折効率を得られやすい。５μｍ以下であると凹凸層を製造しやすい。凸部の形状は、多種多様であってよく、例えば円錐形状、円錐台形状、角錐形状（例えば四角錐形状、三角錐形状）、角錐台形状、釣鐘形状、円柱形状、角柱形状等が挙げられる。尚、回折格子３１は、１次元の回折格子でもよい。
【００４０】
透過型の回折格子３１は、平坦化層４０から凹凸層３０へ様々な入射角で入射する光を透過させ、大部分の透過光の向きを正面方向に揃える。よって、光取り出し面２１等の界面での全反射を抑え、光取り出し効率を向上することができる。
【００４１】
また、透過型の回折格子３１は、平坦化層４０から凹凸層３０に入射するときの光の全反射を抑える役割を果たす。
【００４２】
図２は、図１の透過型の回折格子によって光の全反射が低減されることを説明するための図である。図２において、便宜上、発光素子１２、光散乱材３４、４４の図示を省略する。
【００４３】
一般的に、隣接する高屈折率層と低屈折率層との間の界面が平坦な場合、高屈折率層から低屈折率層に臨界角以上の入射角で入射する光は全反射してしまう。
【００４４】
本実施形態では、高屈折率層としての平坦化層４０と、低屈折率層としての凹凸層３０との界面が微細な凹凸構造を有し、凹凸層３０が透過型の回折格子３１を形成する。そのために、界面が平坦な場合に全反射してしまう光の大部分が、図２に示すように０次回折光Ｒ０、１次回折光Ｒ１、２次回折光Ｒ２等に分かれ、回折格子３１を透過し、凹凸部３０内を伝播する。よって、平坦化層４０から凹凸層３０に入射するときの光の全反射を抑えることができる。
【００４５】
尚、界面が平坦な場合に界面で全反射せずに界面を透過する光の大部分が、回折格子３１を透過するように、回折格子３１の凸部のピッチＰ１や高さＨ１が最適化されてよい。また、回折格子３１で反射される光は、回折格子３１による干渉効果によって入射角よりも小さい反射角で反射するので、反射電極７０で反射され回折格子３１に再度入射するとき、ほとんどの光は回折格子３１を透過する。
【００４６】
ところで、透過型の回折格子３１では、光の干渉によって、回折格子３１を透過した光の強度に角度依存性があり、複数の特定の角度で透過光の強度が強くなる。また、透過光の波長毎に、透過光の強度が強くなる角度が異なる。
【００４７】
そこで、凹凸層３０は、図１に示すように、樹脂等の基材３３、及び基材３３中に分散する光散乱材３４を含んでよい。光散乱材３４は、凹凸層３０内を伝播する光を散乱することで、光の強度の角度依存性を低減し、また、光の色（波長）の角度依存性を低減する。
【００４８】
基材３３は、基材３３と透明基板２０との界面での反射を抑えるため、透明基板２０との屈折率差が０．３以下の材料で構成されることが好ましい。光ナノインプリントの場合、基材３３を形成する光硬化性樹脂として、例えば、シルセスキオキサン系樹脂、ポリイミド系樹脂が用いられる。シルセスキオキサン系樹脂、ポリイミド系樹脂は耐熱性にも優れている。熱ナノインプリントの場合、基材３３を形成する熱可塑性樹脂として、例えば、（メタ）アクリル系樹脂、ポリエステル系樹脂、ポリオレフィン系樹脂、セルロース系樹脂、ポリアミド系樹脂、ポリエポキシ系樹脂等が好適である。基材３３の屈折率は、透明基板２０の屈折率よりも高くても低くてもよいが、透明基板２０の屈折率以下であることが好ましい。
【００４９】
光散乱材３４は、基材３３と異なる屈折率を有し、基材３３よりも低い屈折率を有する空気、基材３３よりも高い屈折率を有する金属酸化物、又は両方で構成される。金属酸化物としては、ジルコニア（ＺｒＯ２）、チタニア（ＴｉＯ２）、シリカ（ＳｉＯ２）、アルミナ（Ａｌ２Ｏ３）、酸化スズ（ＳｎＯ２）等が挙げられる。
【００５０】
金属酸化物の粒子の平均粒子径としては、動的光散乱法により測定される粒径分布のピーク値が用いられる。光散乱材３４が空気の場合、例えば凹凸層３０の断面を走査型電子顕微鏡（ＳＥＭ）にて観察し、視野中に含まれる光散乱材から無作為に１０個抽出し、それらの径を測定し、平均化することにより求めることができる。
【００５１】
光散乱材３４の平均球相当径（平均粒子径）は、好ましくは３００ｎｍ〜１０μｍである。光散乱材３４の平均球相当径が１０μｍを超えると、光散乱材３４が基材３３中に分散しにくく、偏在しやすい。一方、光散乱材３４の平均球相当径が３００ｎｍ未満になると、可視光の波長よりも短すぎるので、レイリー散乱（図３参照）が支配的になり、後方散乱が強くなるので、光の取り出し効率が低下する。
【００５２】
図３は、レイリー散乱の概念図である。図４は、ミー散乱の概念図である。図３、図４において、白丸Ｍは散乱粒子、太線Ｌ１は入射光、細線Ｌ２はレイリー散乱による散乱光、細線Ｌ３はミー散乱による散乱光を表す。細線Ｌ２、Ｌ３の矢印方向は散乱光の進行方向、細線Ｌ２、Ｌ３の長さは散乱光の強度を表す。
【００５３】
本実施形態の光散乱材３４の平均球相当径は３００ｎｍ〜１０μｍであり可視光の波長と同程度以上であるので、ミー散乱（図４参照）が支配的になり、前方散乱が強くなる。光散乱材３４の平均球相当径が３００ｎｍ〜１０μｍであると、凹凸層３０内を伝播する光の向きを正面方向に揃えることができる。
【００５４】
図５は、ミー散乱によって光の向きが正面方向に揃うことを確認するためのシミュレーションのモデル図である。図６は、シミュレーションの結果を示す図であって、光の強度と伝播方向との関係を示す図である。図６において、実線Ｎ１は光散乱層から前方に出射する光の強度と伝播方向との関係を示し、破線Ｎ２は光散乱層へ入射する光の強度と伝播方向との関係を示し、一点鎖線Ｎ３は光散乱層から後方に出射する光の強度と伝播方向との関係を示す。図６において、原点からの距離が光の強度を表し、角度が光の伝播方向を表す。光の伝播方向は、正面方向を０°とし、正面方向とのなす角で表す。
【００５５】
シミュレーションでは、図５に示すように、基材３３Ａ（屈折率２．０）の途中に、基材３３Ａ中に光散乱材３４Ａ（粒径５００ｎｍ、屈折率１．４５）を分散した光散乱層３０Ａ（層厚１μｍ）を設け、光散乱層３０Ａから出射する光の強度の角度依存性を光線追跡法（ソフト名：「ＬｉｇｈｔＴｏｏｌｓ」、ＣＹＢＥＲＮＥＴ社製）により求めた。光散乱層３０Ａ中に占める光散乱材３４Ａの体積割合は６０％とした。また、基材３３Ａの図中上端及び図中下端には光吸収率１００％の境界面を設定した。
【００５６】
図６に示すように、ミー散乱によって光の向きを正面方向に揃えることができ、−４２°〜４２°の範囲内の光の強度を増やすことができた。尚、透明基板２０であるガラス基板（屈折率１．５）と空気（屈折率１．０）との界面（光取り出し面２１）における臨界角は４２°程度である。
【００５７】
ミー散乱によって光の向きが正面方向に揃うのは、（１）前方散乱が支配的であること、（２）入射光の向きが正面方向から傾くほど、光散乱層３０Ａの通過にかかる距離が長くなり、光の散乱回数が増えることによる。
【００５８】
元々向きが正面方向の入射光は、散乱回数が少なく、前方散乱が支配的であることから、光散乱層３０Ａ内を伝搬する間に向きがほとんど変わらない。一方、向きが斜め方向の入射光は、散乱回数が多いので、光散乱層３０Ａ内を伝搬する間に徐々に向きが正面方向に変わる。よって、ミー散乱によって光の向きが全体的に正面方向に揃う。
【００５９】
尚、基材４３の屈折率、光散乱材４４の屈折率、平均球相当径、体積割合、凹凸層３０の厚みは、適宜設計される。
【００６０】
（平坦化層）
平坦化層４０は、凹凸層３０上に設けられ、凹凸層３０の凹凸を吸収する。平坦化層４０の平坦面上に設けられる透明電極５０、有機層６０、及び反射電極７０が設計通りの性能を発揮できる。
【００６１】
平坦化層４０は、例えばウェットコート法で凹凸層３０の凹凸面上に形成される。平坦化層４０の形成前に、凹凸層３０を熱処理する工程が行われてよい。凹凸層３０の樹脂の重合率の向上や、凹凸層３０の複屈折の除去が可能である。
【００６２】
ウェットコート法は、流動性樹脂を凹凸層３０上に塗布し、固化させることで平坦化層４０を形成する。流動性樹脂には、必要に応じて光散乱材が添加される。ウェットコート法としては、例えば、スピンコート法、スプレーコート法、ロールコート法、ダイコート法等が挙げられる。
【００６３】
平坦化層４０は、樹脂等の３０基材４３、及び基材４３中に分散する光散乱材４４を含んでよい。光散乱材４４は、凹凸層３０の光散乱材３４と同様に、平坦化層４０内を伝播する光の向きを正面方向に揃え、平坦化層４０から回折格子３１に入射する光の向きを正面方向に揃える。
【００６４】
一般的に、回折格子に入射する光の向きが正面方向に揃っているほど、回折格子を透過する光の向きが正面方向に揃いやすい。
【００６５】
本実施形態では、平坦化層４０中の光散乱材４４が平坦化層４０から回折格子３１に入射する光の向きを正面方向に揃えるので、回折格子３１を透過する光の向きが正面方向に揃いやすく、光取り出し効率を向上できる。
【００６６】
基材４３は、基材４３と透明電極５０との界面での反射を抑えるため、透明電極５０との屈折率差が０．３以下の材料で構成されることが好ましい。光ナノインプリントの場合、基材４３を形成する光硬化性樹脂として、例えば、シルセスキオキサン系樹脂、ポリイミド系樹脂が用いられる。シルセスキオキサン系樹脂、ポリイミド系樹脂は耐熱性にも優れている。熱ナノインプリントの場合、基材４３を形成する熱可塑性樹脂として、例えば、（メタ）アクリル系樹脂、ポリエステル系樹脂、ポリオレフィン系樹脂、セルロース系樹脂、ポリアミド系樹脂、ポリエポキシ系樹脂等が好適である。基材４３は、屈折率の調整のため、光を散乱しない程度の大きさの無機系ナノ微粒子を含んでもよい。無機系ナノ微粒子の粒径は１ｎｍ以上１００ｎｍ以下が好ましく、１ｎｍ以上５０ｎｍ以下がより好ましい。粒径が１ｎｍ未満であると、結晶性が乏しくなり、屈折率等の粒子特性を発現することが難しくなる。一方、粒径が１００ｎｍを超えると、レイリー散乱の影響が出始め、後方散乱成分が増加し光取り出し効率低下の要因となるためである。基材４３の屈折率は、透明電極５０の屈折率よりも高くても低くてもよいが、透明電極５０の屈折率以下であることが好ましい。
【００６７】
基材４３は、凹凸層３０の基材３３と異なる屈折率を有する。基材４３は、透明基板２０よりも高い屈折率を有する透明電極５０と接するので、透明基板２０と接する凹凸層３０の基材３３よりも高い屈折率を有することが好ましい。
【００６８】
光散乱材４４は、基材４３と異なる屈折率を有し、基材４３よりも低い屈折率を有する空気、基材４３よりも高い屈折率を有する金属酸化物、又は両方で構成される。金属酸化物としては、ジルコニア（ＺｒＯ２）、チタニア（ＴｉＯ２）、シリカ（ＳｉＯ２）、アルミナ（Ａｌ２Ｏ３）、酸化スズ（ＳｎＯ２）等が挙げられる。
【００６９】
光散乱材４４の平均球相当径（平均粒子径）は、好ましくは３００ｎｍ〜１０μｍである。光散乱材４４の平均球相当径が１０μｍを超えると、光散乱材４４が基材４３中に分散しにくく、偏在しやすい。光散乱材４４の平均球相当径が３００ｎｍ未満になると、可視光の波長よりも短すぎるので、レイリー散乱（図３参照）が支配的になり、後方散乱が強くなるので、光の取り出し効率が低下する。
【００７０】
光散乱材４４の平均球相当径が３００ｎｍ〜１０μｍの場合、ミー散乱（図４参照）が支配的になり、前方散乱が強くなる。光散乱材４４の平均球相当径が３００ｎｍ〜１０μｍであると、平坦化層４０内を伝播する光の向きを正面方向に揃えることができる。
【００７１】
光取り出し面２１に臨界角以上の入射角で入射する光は、光取り出し面２１で全反射される。全反射された光は、光取り出し面２１と光反射面（例えば反射電極７０と有機層６０の界面）との間を１回以上往復する間に、回折格子３１を透過することで、また、光散乱材３４、４４で繰り返し散乱されることで、臨界角未満の入射角に変化し、最終的に光取り出し面２１から外部に放出される。
【００７２】
尚、本実施形態では凹凸層３０及び平坦化層４０の両方が光散乱材を含むが、いずれか一方が光散乱材を含んでいればよい。
【００７３】
例えば、図７に示すように、凹凸層３０が光散乱材３４を含み、平坦化層４３が光散乱材４４を含まなくてもよい。図７に示す例（第１変形例）の場合、透過型の回折格子３１は、平坦化層４３から凹凸層３０へ様々な入射角で入射する光を透過させ、大部分の透過光の向きを正面方向に揃える。よって、光取り出し面２１等の界面での全反射を抑え、光取り出し効率を向上することができる。また、透過型の回折格子３１は、平坦化層４３から凹凸層３０へ入射するときの光の全反射を抑える役割を果たす。凹凸層３０中の光散乱材３４は、凹凸層３０内を伝播する光を散乱し、回折格子３１による光の強度の角度依存性を低減し、また、回折格子３１による光の色（波長）の角度依存性を低減する。また、凹凸層３０中の光散乱材３４は、凹凸層３０内を伝播する光の向きを正面方向に揃え、光取り出し効率を向上する。
【００７４】
また、図８に示すように、平坦化層４０が光散乱材４４を含み、凹凸層３３が光散乱材３４を含まなくてもよい。図８に示す例（第２変形例）の場合、透過型の回折格子３１は、平坦化層４０から凹凸層３３へ様々な入射角で入射する光を透過させ、大部分の透過光の向きを正面方向に揃える。よって、光取り出し面２１等の界面での全反射を抑え、光取り出し効率を向上することができる。また、透過型の回折格子３１は、平坦化層４０から凹凸層３３へ入射するときの光の全反射を抑える役割を果たす。平坦化層４０中の光散乱材４４は、平坦化層４０内を伝搬する光の向きを正面方向に揃える。平坦化層４０から回折格子３１に入射する光の向きが正面方向に揃い、回折格子３１を透過する光の向きが正面方向に効率的に揃いやすく、光取り出し効率がさらに向上する。
【００７５】
［第２実施形態］
上記第１実施形態では、凹凸層３０が回折格子３１を形成する。一方、本実施形態では、凹凸層が複数のプリズムを形成する点で相違する。以下、主に相違点について説明する。
【００７６】
図９は、本発明の第２実施形態による有機ＬＥＤ素子を示す断面図である。図９において、便宜上、凹凸層１３０の凹凸を誇張して示す。
【００７７】
有機ＬＥＤ素子１１０は、ボトムエミッションタイプであって、透明基板２０、凹凸層１３０、平坦化層１４０、透明電極５０、有機層６０、及び反射電極７０をこの順で有する。透明基板２０、凹凸層１３０、及び平坦化層１４０で積層基板１１１が構成され、透明電極５０、有機層６０、及び反射電極７０等で発光素子１２が構成される。照明用の場合、１つの発光素子１２が平坦化層１４０上に形成されてよい。画像表示用の場合、発光素子１２は画素毎に設けられ、複数の発光素子１２が平坦化層１４０上に配列される。
【００７８】
有機層６０の発光光は、透明電極５０、平坦化層１４０、凹凸層１３０、透明基板２０を透過し、透明基板２０の光取り出し面２１から外部に放出される。光取り出し面２１は、透明基板２０における凹凸層１３０側と反対側の面である。
【００７９】
本実施形態では、凹凸層１３０が複数のプリズム１３１を形成する。プリズム１３１は、平坦化層１４０側に設けられる。以下の説明で、プリズム１３１での入射角、反射角は、光取り出し面２１に対して垂直な方向（以下、「正面方向」という）と、光の進行方向とのなす角を意味する。
【００８０】
（凹凸層）
凹凸層１３０は、例えばインプリント法で透明基板２０上に形成される。インプリント法では、透明基板２０とモールドとの間に成形材料の層を挟み、モールドの凹凸パターンが転写した凹凸層１３０を透明基板２０上に形成する。凹凸層１３０の凹凸パターンは、モールドの凹凸パターンが略反転したパターンである。成形材料の層は、必要に応じて、後述の光散乱材を含む。
【００８１】
尚、本実施形態の凹凸層１３０は、インプリント法で形成されるが、フォトリソグラフィ法、ＥＢ描画法、干渉露光法等で形成されてもよい。
【００８２】
凹凸層１３０は、複数のプリズム１３１を形成する。複数のプリズム１３１の底面は同一平面上に配列される。複数のプリズム１３１は、周期的に配列され、例えば正六方格子状、準六方格子状、正四方格子状、準四方格子状に配列される。最も近いプリズム１３１同士のピッチＰ２は、可視光の波長よりも十分に大きい（５μｍ＜Ｐ２≦５０μｍ）。プリズムの高さＨ２は５μｍ以上５０μｍ以下が好ましい。プリズム１３１の形状は、多種多様であってよく、例えば角錐形状（例えば四角錐形状、三角錐形状）、角錐台形状等が挙げられる。
【００８３】
プリズム１３１は、平坦化層１４０から凹凸層１３０へ様々な入射角で入射する光を透過させ、大部分の透過光の向きを正面方向に揃える。よって、光取り出し面２１等の界面での全反射を抑え、光取り出し効率を向上することができる。
【００８４】
プリズム１３１は、平坦化層１４０から凹凸層１３０へ入射するときの光の全反射を抑える役割を果たす。
【００８５】
図１０は、図９のプリズムによって光の全反射が低減されることを説明するための図である。図１０において、便宜上、発光素子１２、光散乱材１３４、１４４の図示を省略する。
【００８６】
一般的に、隣接する高屈折率層と低屈折率層との間の界面が平坦な場合、高屈折率層から低屈折率層に臨界角以上の入射角で入射する光は全反射してしまう。
【００８７】
本実施形態では、高屈折率層としての平坦化層１４０と、低屈折率層としての凹凸層１３０との界面が微細な凹凸構造を有し、凹凸層１３０がプリズム１３１を形成する。そのために、界面が平坦な場合に全反射してしまう光の大部分が、図１０に示すようにプリズム１３１の傾斜面を透過し、凹凸層１３０内に伝播する。プリズム１３１の一方の傾斜面を透過した光は、例えばプリズム１３１の他方の傾斜面で反射され、透明基板２０に向けて伝播する。よって、平坦化層１４０から凹凸層１３０へ入射するときの光の全反射を抑えることができる。
【００８８】
尚、界面が平坦な場合に界面で全反射せずに界面を透過する光の大部分が、プリズム１３１を透過するように、プリズム１３１のピッチＰ２や高さＨ２が最適化されてよい。
【００８９】
ところで、光の屈折率は光の波長によって異なり、光の波長毎に光の屈折角が異なる。そのため、光の屈折を利用するプリズムの場合、プリズム１３１を見る角度が変わると、プリズム１３１を透過した光の色（波長）が変わる。
【００９０】
そこで、凹凸層１３０は、図９に示すように、樹脂等の基材１３３、及び基材１３３中に分散する光散乱材１３４を含んでよい。光散乱材１３４は、凹凸層１３０内を伝播する光を散乱することで、光の色（波長）の角度依存性を低減する。
【００９１】
基材１３３は、基材１３３と透明基板２０との界面での反射を抑えるため、第１実施形態と同様に、透明基板２０との屈折率差が０．３以下の材料で構成されることが好ましい。基材１３３の屈折率は、透明基板２０の屈折率よりも高くても低くてもよいが、透明基板２０の屈折率以下であることが好ましい。
【００９２】
光散乱材１３４は、基材１３３と異なる屈折率を有し、基材１３３よりも低い屈折率を有する空気、基材１３３よりも高い屈折率を有する金属酸化物、又は両方で構成される。金属酸化物としては、ジルコニア（ＺｒＯ２）、チタニア（ＴｉＯ２）、シリカ（ＳｉＯ２）、アルミナ（Ａｌ２Ｏ３）、酸化スズ（ＳｎＯ２）等が挙げられる。
【００９３】
光散乱材１３４の平均球相当径（平均粒子径）は、好ましくは３００ｎｍ〜１０μｍである。光散乱材１３４の平均球相当径が１０μｍを超えると、光散乱材１３４が基材１３３中に分散しにくく、偏在しやすい。一方、光散乱材１３４の平均球相当径が３００ｎｍ未満になると、可視光の波長よりも短すぎるので、レイリー散乱（図３参照）が支配的になり、後方散乱が強くなるので、光の取り出し効率が低下する。
【００９４】
光散乱材１３４の平均球相当径が３００ｎｍ〜１０μｍの場合、ミー散乱（図４参照）が支配的になり、前方散乱が強くなり、凹凸層１３０内を伝播する光の向きを正面方向に揃えることができる。
【００９５】
（平坦化層）
平坦化層１４０は、凹凸層１３０上に設けられ、凹凸層１３０の凹凸を吸収する。平坦化層１４０の平坦面上に設けられる透明電極５０、有機層６０、及び反射電極７０が設計通りの性能を発揮できる。
【００９６】
平坦化層１４０は、例えばウェットコート法で凹凸層１３０の凹凸面上に形成される。平坦化層１４０の形成前に、凹凸層１３０を熱処理する工程が行われてよい。凹凸層１３０の樹脂の重合率の向上や、凹凸層１３０の複屈折の除去が可能である。
【００９７】
平坦化層１４０は、樹脂等の基材１４３、及び基材１４３中に分散する光散乱材１４４を含んでよい。光散乱材１４４は、凹凸層１３０の光散乱材１３４と同様に、平坦化層１４０内を伝播する光の向きを正面方向に揃え、平坦化層１４０からプリズム１３１に入射する光の向きを正面方向に揃える。
【００９８】
一般的に、プリズムに入射する光の向きが正面方向に揃っているほど、プリズムを透過する光の向きが正面方向に揃いやすい。
【００９９】
本実施形態では、平坦化層１４０からプリズム１３１に入射する光の向きが正面方向に揃っているので、プリズム１３１を透過する光の向きが正面方向に効率的に揃いやすく、光取り出し効率が向上する。
【０１００】
基材１４３は、基材１４３と透明電極５０との界面での反射を抑えるため、第１実施形態と同様に、透明電極５０との屈折率差が０．３以下の材料で構成されることが好ましい。基材１４３の屈折率は、透明電極５０の屈折率よりも高くても低くてもよいが、透明電極５０の屈折率以下であることが好ましい。
【０１０１】
基材１４３は、凹凸層１３０の基材１３３と異なる屈折率を有する。基材１４３は、透明基板２０よりも高い屈折率を有する透明電極５０と接するので、透明基板２０と接する凹凸層１３０の基材１３３よりも高い屈折率を有することが好ましい。
【０１０２】
光散乱材１４４は、基材１４３と異なる屈折率を有し、基材１４３よりも低い屈折率を有する空気、基材１４３よりも高い屈折率を有する金属酸化物、又は両方で構成される。金属酸化物としては、ジルコニア（ＺｒＯ２）、チタニア（ＴｉＯ２）、シリカ（ＳｉＯ２）、アルミナ（Ａｌ２Ｏ３）、酸化スズ（ＳｎＯ２）等が挙げられる。
【０１０３】
光散乱材１４４の平均球相当径（平均粒子径）は、好ましくは３００ｎｍ〜１０μｍである。光散乱材１４４の平均球相当径が１０μｍを超えると、光散乱材１４４が基材１４３中に分散しにくく、偏在しやすい。光散乱材１４４の平均球相当径が３００ｎｍ未満になると、可視光の波長よりも短すぎるので、レイリー散乱（図３参照）が支配的になり、後方散乱が強くなるので、光の取り出し効率が低下する。
【０１０４】
光散乱材１４４の平均球相当径が３００ｎｍ〜１０μｍの場合、ミー散乱（図４参照）が支配的になり、前方散乱が強くなる。光散乱材１４４の平均球相当径が３００ｎｍ〜１０μｍであると、平坦化層１４０内を伝播する光の向きを正面方向に揃えることができる。
【０１０５】
光取り出し面２１に臨界角以上の入射角で入射する光は、光取り出し面２１で全反射される。全反射された光は、光取り出し面２１と光反射面（例えば反射電極７０と有機層６０の界面）との間を１回以上往復する間に、プリズム１３１を透過することで、また、光散乱材１３４、１４４で繰り返し散乱されることで、臨界角未満の入射角に変化し、最終的に光取り出し面２１から外部に放出される。
【０１０６】
尚、本実施形態では凹凸層１３０及び平坦化層１４０の両方が光散乱材を含むが、いずれか一方が光散乱材を含んでいればよい。
【０１０７】
例えば、図１１に示すように、凹凸層１３０が光散乱材１３４を含み、平坦化層１４３が光散乱材１４４を含まなくてもよい。図１１に示す例（第１変形例）の場合、プリズム１３１は、平坦化層１４３から凹凸層１３０へ様々な入射角で入射する光を透過させ、大部分の透過光の向きを正面方向に揃える。よって、光取り出し面２１等の界面での全反射を抑え、光取り出し効率を向上することができる。また、プリズム１３１は、平坦化層１４３から凹凸層１３０へ入射するときの光の全反射を抑える役割を果たす。凹凸層１３０中の光散乱材１３４は、凹凸層１３０内を伝播する光を散乱し、プリズム１３１による光の強度の角度依存性を低減し、また、プリズム１３１による光の色（波長）の角度依存性を低減する。また、凹凸層１３０中の光散乱材１３４は、凹凸層１３０内を伝播する光の向きを正面方向に揃え、光取り出し効率を向上する。
【０１０８】
また、図１２に示すように、平坦化層１４０のみが光散乱材１４４を含み、凹凸層１３３は光散乱材１３４を含まなくてもよい。図１２に示す例（第２変形例）の場合、プリズム１３１は、平坦化層１４０から凹凸層１３３へ様々な入射角で入射する光を透過させ、大部分の透過光の向きを正面方向に揃える。よって、光取り出し面２１等の界面での全反射を抑え、光取り出し効率を向上することができる。また、プリズム１３１が、平坦化層１４０から凹凸層１３３へ入射するときの光の全反射を抑える役割を果たす。平坦化層１４０中の光散乱材１４４は、平坦化層１４０内を伝搬する光の向きを正面方向に揃える。平坦化層１４０からプリズム１３１に入射する光の向きが正面方向に揃い、プリズム１３１を透過する光の向きが正面方向に効率的に揃いやすく、光取り出し効率がさらに向上する。
【０１０９】
［第３実施形態］
上記第２実施形態では、凹凸層１３０が複数のプリズム１３１を形成する。一方、本実施形態では、凹凸層が複数のレンズを形成する点で相違する。以下、主に相違点について説明する。
【０１１０】
図１３は、本発明の第３実施形態による有機ＬＥＤ素子を示す断面図である。図１３において、便宜上、凹凸層２３０の凹凸を誇張して示す。
【０１１１】
有機ＬＥＤ素子２１０は、ボトムエミッションタイプであって、透明基板２０、凹凸層２３０、平坦化層２４０、透明電極５０、有機層６０、及び反射電極７０をこの順で有する。透明基板２０、凹凸層２３０、及び平坦化層２４０で積層基板２１１が構成され、透明電極５０、有機層６０、及び反射電極７０等で発光素子１２が構成される。照明用の場合、１つの発光素子１２が平坦化層２４０上に形成されてよい。画像表示用の場合、発光素子１２は画素毎に設けられ、複数の発光素子１２が平坦化層２４０上に配列される。
【０１１２】
有機層６０の発光光は、透明電極５０、平坦化層２４０、凹凸層２３０、透明基板２０を透過し、透明基板２０の光取り出し面２１から外部に放出される。光取り出し面２１は、透明基板２０における凹凸層２３０側と反対側の面である。
【０１１３】
本実施形態では、凹凸層２３０が複数のレンズ２３１を形成する。レンズ２３１は、平坦化層２４０側に設けられる。以下の説明で、レンズ２３１での入射角、反射角は、光取り出し面２１に対して垂直な方向（以下、「正面方向」という）と、光の進行方向とのなす角を意味する。
【０１１４】
（凹凸層）
凹凸層２３０は、例えばインプリント法で透明基板２０上に形成される。インプリント法では、透明基板２０とモールドとの間に成形材料の層を挟み、モールドの凹凸パターンが転写した凹凸層２３０を透明基板２０上に形成する。凹凸層２３０の凹凸パターンは、モールドの凹凸パターンが略反転したパターンである。成形材料の層は、必要に応じて、後述の光散乱材を含む。
【０１１５】
尚、本実施形態の凹凸層２３０は、インプリント法で形成されるが、フォトリソグラフィ法、ＥＢ描画法、干渉露光法等で形成されてもよい。
【０１１６】
凹凸層２３０は、複数のレンズ２３１を形成する。複数のレンズ２３１は、周期的に配列され、例えば正六方格子状、準六方格子状、正四方格子状、準四方格子状に配列される。最も近いレンズ２３１同士のピッチＰ３は、可視光の波長よりも十分に大きい（５μｍ＜Ｐ３≦５０μｍ）。レンズ２３１は、図１３に示すように平坦化層２４０側から見て凹レンズでもよいし、凸レンズでもよい。
【０１１７】
レンズ２３１は、平坦化層２４０から凹凸層２３０へ様々な入射角で入射する光を透過させ、大部分の透過光の向きを正面方向に揃える。よって、光取り出し面２１等の界面での全反射を抑え、光取り出し効率を向上することができる。
【０１１８】
レンズ２３１は、平坦化層２４０から凹凸層２３０へ入射するときの光の全反射を抑える役割を果たす。
【０１１９】
図１４は、図１３のレンズによって光の全反射が低減されることを説明するための図である。図１４において、便宜上、発光素子１２、光散乱材２３４、２４４の図示を省略する。
【０１２０】
一般的に、隣接する高屈折率層と低屈折率層との間の界面が平坦な場合、高屈折率層から低屈折率層に臨界角以上の入射角で入射する光は全反射してしまう。
【０１２１】
本実施形態では、高屈折率層としての平坦化層２４０と、低屈折率層としての凹凸層２３０との界面が微細な凹凸構造を有し、凹凸層２３０がレンズ２３１を形成する。そのため、界面が平坦な場合に全反射してしまう光の大部分が、図１４に示すようにレンズ２３１の曲面を透過し、凹凸層２３０内を伝播する。よって、平坦化層２４０から凹凸層２３０へ入射するときの光の全反射を抑えることができる。
【０１２２】
尚、界面が平坦な場合に界面で全反射せずに界面を透過する光の大部分が、レンズ２３１を透過するように、レンズ２３１のピッチＰ３や高さが最適化されてよい。
【０１２３】
ところで、屈折を利用するレンズの場合、レンズを透過した光の波長ごとに、透過光の強度が強くなる角度が異なる。
【０１２４】
そこで、凹凸層２３０は、図１３に示すように、樹脂等の基材２３３、及び基材２３３中に分散する光散乱材２３４を含んでよい。光散乱材２３４は、凹凸層２３０内を伝播する光を散乱することで、光の強度の角度依存性を低減し、また、光の色（波長）の角度依存性を低減する。
【０１２５】
基材２３３は、基材２３３と透明基板２０との界面での反射を抑えるため、第１実施形態と同様に、透明基板２０との屈折率差が０．３以下の材料で構成されることが好ましい。基材２３３の屈折率は、透明基板２０の屈折率よりも高くても低くてもよいが、透明基板２０の屈折率以下であることが好ましい。
【０１２６】
光散乱材２３４は、基材２３３と異なる屈折率を有し、基材２３３よりも低い屈折率を有する空気、基材２３３よりも高い屈折率を有する金属酸化物、又は両方で構成される。金属酸化物としては、ジルコニア（ＺｒＯ２）、チタニア（ＴｉＯ２）、シリカ（ＳｉＯ２）、アルミナ（Ａｌ２Ｏ３）、酸化スズ（ＳｎＯ２）等が挙げられる。
【０１２７】
光散乱材２３４の平均球相当径（平均粒子径）は、好ましくは３００ｎｍ〜１０μｍである。光散乱材２３４の平均球相当径が１０μｍを超えると、光散乱材２３４が基材２３３中に分散しにくく、偏在しやすい。一方、光散乱材２３４の平均球相当径が３００ｎｍ未満になると、可視光の波長よりも短すぎるので、レイリー散乱（図３参照）が支配的になり、後方散乱が強くなるので、光の取り出し効率が低下する。
【０１２８】
光散乱材２３４の平均球相当径が３００ｎｍ〜１０μｍの場合、ミー散乱（図４参照）が支配的になり、前方散乱が強くなり、凹凸層２３０内を伝播する光の向きを正面方向に揃えることができる。
【０１２９】
（平坦化層）
平坦化層２４０は、凹凸層２３０上に設けられ、凹凸層２３０の凹凸を吸収する。平坦化層２４０の平坦面上に設けられる透明電極５０、有機層６０、及び反射電極７０が設計通りの性能を発揮できる。
【０１３０】
平坦化層２４０は、例えばウェットコート法で凹凸層２３０の凹凸面上に形成される。平坦化層２４０の形成前に、凹凸層２３０を熱処理する工程が行われてよい。凹凸層２３０の樹脂の重合率の向上や、凹凸層２３０の複屈折の除去が可能である。
【０１３１】
平坦化層２４０は、樹脂等の基材２４３、及び基材２４３中に分散する光散乱材２４４を含んでよい。光散乱材２４４は、凹凸層２３０の光散乱材２３４と同様に、平坦化層２４０内を伝播する光の向きを正面方向に揃え、平坦化層２４０からレンズ２３１に入射する光の向きを正面方向に揃える。
【０１３２】
一般的に、レンズに入射する光の向きが正面方向に揃っているほど、レンズを透過する光の向きが正面方向に揃いやすい。
【０１３３】
本実施形態では、平坦化層２４０からレンズ２３１に入射する光の向きが正面方向に揃っているので、レンズ２３１を透過する光の向きが正面方向に効率的に揃いやすく、光取り出し効率が向上する。
【０１３４】
基材２４３は、基材２４３と透明電極５０との界面での反射を抑えるため、第１実施形態と同様に、透明電極５０との屈折率差が０．３以下の材料で構成されることが好ましい。基材２４３の屈折率は、透明電極５０の屈折率よりも高くても低くてもよいが、透明電極５０の屈折率以下であることが好ましい。
【０１３５】
基材２４３は、凹凸層２３０の基材２３３と異なる屈折率を有する。基材２４３は、透明基板２０よりも高い屈折率を有する透明電極５０と接するので、透明基板２０と接する凹凸層２３０の基材２３３よりも高い屈折率を有することが好ましい。
【０１３６】
光散乱材２４４は、基材２４３と異なる屈折率を有し、基材２４３よりも低い屈折率を有する空気、基材２４３よりも高い屈折率を有する金属酸化物、又は両方で構成される。金属酸化物としては、ジルコニア（ＺｒＯ２）、チタニア（ＴｉＯ２）、シリカ（ＳｉＯ２）、アルミナ（Ａｌ２Ｏ３）、酸化スズ（ＳｎＯ２）等が挙げられる。
【０１３７】
光散乱材２４４の平均球相当径（平均粒子径）は、好ましくは３００ｎｍ〜１０μｍである。光散乱材２４４の平均球相当径が１０μｍを超えると、光散乱材２４４が基材２４３中に分散しにくく、偏在しやすい。光散乱材２４４の平均球相当径が３００ｎｍ未満になると、可視光の波長よりも短すぎるので、レイリー散乱（図３参照）が支配的になり、後方散乱が強くなるので、光の取り出し効率が低下する。
【０１３８】
光散乱材２４４の平均球相当径が３００ｎｍ〜１０μｍの場合、ミー散乱（図４参照）が支配的になり、前方散乱が強くなる。光散乱材２４４の平均球相当径が３００ｎｍ〜１０μｍであると、平坦化層２４０内を伝播する光の向きを正面方向に揃えることができる。
【０１３９】
光取り出し面２１に臨界角以上の入射角で入射する光は、光取り出し面２１で全反射される。全反射された光は、光取り出し面２１と光反射面（例えば反射電極７０と有機層６０の界面）との間を１回以上往復する間に、レンズ２３１を透過することで、また、光散乱材２３４、２４４で繰り返し散乱されることで、臨界角未満の入射角に変化し、最終的に光取り出し面２１から外部に放出される。
【０１４０】
尚、本実施形態では凹凸層２３０及び平坦化層２４０の両方が光散乱材を含むが、いずれか一方が光散乱材を含んでいればよい。
【０１４１】
例えば、図１５に示すように、凹凸層２３０が光散乱材２３４を含み、平坦化層２４３が光散乱材２４４を含まなくてもよい。図１５に示す例（第１変形例）の場合、レンズ２３１は、平坦化層２４３から凹凸層２３０へ様々な入射角で入射する光を透過させ、大部分の透過光の向きを正面方向に揃える。よって、光取り出し面２１等の界面での全反射を抑え、光取り出し効率を向上することができる。また、レンズ２３１は、平坦化層２４３から凹凸層２３０へ入射するときの光の全反射を抑える役割を果たす。凹凸層２３０中の光散乱材２３４は、凹凸層２３０内を伝播する光を散乱し、レンズ２３１による光の強度の角度依存性を低減し、また、レンズ２３１による光の色（波長）の角度依存性を低減する。また、凹凸層２３０中の光散乱材２３４は、凹凸層２３０内を伝播する光の向きを正面方向に揃え、光取り出し効率を向上する。
【０１４２】
また、図１６に示すように、平坦化層２４０が光散乱材２４４を含み、凹凸層２３３が光散乱材２３４を含まなくてもよい。図１５に示す例（第２変形例）の場合、レンズ２３１が、平坦化層２４０から凹凸層２３３へ様々な入射角で入射する光を透過させ、大部分の透過光の向きを正面方向に揃える。よって、光取り出し面２１等の界面での全反射を抑え、光取り出し効率を向上することができる。また、レンズ２３１は、平坦化層２４０から凹凸層２３３へ入射するときの光の全反射を抑える役割を果たす。平坦化層２４０中の光散乱材２４４は、平坦化層２４０内を伝搬する光の向きを正面方向に揃える。平坦化層２４０からレンズ２３１に入射する光の向きが正面方向に揃い、レンズ２３１を透過する光の向きが正面方向に効率的に揃いやすく、光取り出し効率がさらに向上する。
【０１４３】
［第４実施形態］
上記第１実施形態では、凹凸層３０が回折格子３１を形成する。一方、本実施形態では、凹凸層がモスアイ構造を有する点で相違する。以下、主に相違点について説明する。
【０１４４】
図１７は、本発明の第４実施形態による有機ＬＥＤ素子を示す断面図である。図１７において、便宜上、モスアイ構造３３１の凹凸を誇張して示す。
【０１４５】
有機ＬＥＤ素子３１０は、ボトムエミッションタイプであって、透明基板２０、凹凸層３３０、平坦化層３４０、透明電極５０、有機層６０、及び反射電極７０をこの順で有する。透明基板２０、凹凸層３３０、及び平坦化層３４０で積層基板３１１が構成され、透明電極５０、有機層６０、及び反射電極７０等で発光素子１２が構成される。照明用の場合、１つの発光素子１２が平坦化層３４０上に形成されてよい。画像表示用の場合、発光素子１２は画素毎に設けられ、複数の発光素子１２が平坦化層３４０上に配列される。
【０１４６】
有機層６０の発光光は、透明電極５０、平坦化層３４０、凹凸層３３０、透明基板２０を透過し、透明基板２０の光取り出し面２１から外部に放出される。光取り出し面２１は、透明基板２０における凹凸層３３０側と反対側の面である。
【０１４７】
本実施形態では、凹凸層３３０がモスアイ構造３３１を有する。モスアイ構造３３１は、平坦化層３４０側に設けられる。以下の説明で、モスアイ構造３３１での入射角、反射角は、光取り出し面２１に対して垂直な方向（以下、「正面方向」という）と、光の進行方向とのなす角を意味する。
【０１４８】
（凹凸層）
凹凸層３３０は、例えばインプリント法で透明基板２０上に形成される。インプリント法では、透明基板２０上に設けられる成形材料の層の表面にモールドの凹凸パターンを転写することにより凹凸層３３０を形成する。凹凸層３３０は、モールドの凹凸パターンが略反転した凹凸パターンを有する。成形材料の層は、必要に応じて、後述の光散乱材を含む。
【０１４９】
尚、本実施形態の凹凸層３３０は、インプリント法で形成されるが、フォトリソグラフィ法、ＥＢ描画法、干渉露光法等で形成されてもよい。
【０１５０】
凹凸層３３０の平坦化層３４０側の部分は、モスアイ構造３３１を構成する。モスアイ構造３３１は複数の凸部を有し、複数の凸部の底面は同一平面上に配列される。複数の凸部は、周期的に配列され、例えば正六方格子状、準六方格子状、正四方格子状、準四方格子状に配列される。最も近い凸部同士のピッチＰ４は、可視光の波長以下（Ｐ４≦３００ｎｍ）であり、代表的には２５０ｎｍである。凸部の高さＨ４は、代表的には３００ｎｍである。隣り合う凸部は、接していても離れていてもよいが、凹凸層３３０と平坦化層３４０との界面での反射率を効率的に低減するため、裾部が重なるように配置されていることが好ましい。凸部の形状は、多種多様であってよく、例えば円錐形状、円錐台形状、角錐形状、角錐台形状、釣鐘形状等が挙げられる。
【０１５１】
図１８は、図１７のモスアイ構造３３１による光の透過の説明図である。図１８において、便宜上、発光素子１２、光散乱材３３４、３４４の図示を省略する。
【０１５２】
モスアイ構造３３１では、光取り出し面２１と垂直な方向における屈折率が連続的に変化するので、光の入射角や光の波長に関係なく反射率が低く（１％以下）、透過率が高く、図１８に矢印で示すようにほとんどの光が透過するので、光取り出し効率が良い。また、従来の多層膜による反射率低減膜（Ａｎｔｉ−Ｒｅｆｌｅｃｔｉｏｎ＝ＡＲ）膜と比べて、モスアイ構造３３１では、光の回折や光の分光が生じないので、見る角度が変わるときに光取り出し面２１の明るさや色（波長）が変わりにくい。
【０１５３】
凹凸層３３０は、樹脂等の基材３３３、及び基材３３３中に分散する光散乱材３３４を含んでよい。凹凸層３３０を透過する光は、光散乱材３３４で散乱され、光取り出し面２１に入射する。この入射角が臨界角未満の光は、光取り出し面２１から外部に放出される。一方、この入射角が臨界角以上の光の大部分は、光取り出し面２１で全反射された後、光取り出し面２１と、光反射面（例えば反射電極７０と有機層６０の界面）との間を１回以上往復する間に、光散乱材３３４によって繰り返し散乱され、臨界角未満の入射角に変化し、最終的に光取り出し面２１から取り出される。
【０１５４】
基材３３３は、基材３３３と透明基板２０との界面での反射を抑えるため、第１実施形態と同様に、透明基板２０との屈折率差が０．３以下の材料で構成されることが好ましい。基材３３３の屈折率は、透明基板２０の屈折率よりも高くても低くてもよいが、透明基板２０の屈折率以下であることが好ましい。
【０１５５】
光散乱材３３４は、基材３３３と異なる屈折率を有し、基材３３３よりも低い屈折率を有する空気、基材３３３よりも高い屈折率を有する金属酸化物、又は両方で構成される。金属酸化物としては、ジルコニア（ＺｒＯ２）、チタニア（ＴｉＯ２）、シリカ（ＳｉＯ２）、アルミナ（Ａｌ２Ｏ３）、酸化スズ（ＳｎＯ２）等が挙げられる。
【０１５６】
光散乱材３３４の平均球相当径（平均粒子径）は、好ましくは３００ｎｍ〜１０μｍである。光散乱材３３４の平均球相当径が１０μｍを超えると、光散乱材３３４が基材３３３中に分散しにくく、偏在しやすい。一方、光散乱材３３４の平均球相当径が３００ｎｍ未満になると、可視光の波長よりも短すぎるので、レイリー散乱（図３参照）が支配的になり、後方散乱が強くなるので、光の取り出し効率が低下する。
【０１５７】
光散乱材３３４の平均球相当径が３００ｎｍ〜１０μｍの場合、ミー散乱（図４参照）が支配的になり、前方散乱が強くなり、凹凸層３３０内を伝播する光の向きを正面方向に揃えることができ、光取り出し面２１等の界面での全反射を低減できる。
【０１５８】
（平坦化層）
平坦化層３４０は、凹凸層３３０上に設けられ、凹凸層３３０の凹凸を吸収する。平坦化層３４０の平坦面上に設けられる透明電極５０、有機層６０、及び反射電極７０が設計通りの性能を発揮できる。
【０１５９】
平坦化層３４０は、例えばウェットコート法で凹凸層３３０の凹凸面上に形成される。平坦化層３４０の形成前に、凹凸層３３０の樹脂の架橋反応を進める工程（例えば熱処理工程）が行われてよい。
【０１６０】
平坦化層３４０は、樹脂等の基材３４３、及び基材３４３中に分散する光散乱材３４４を含んでよい。平坦化層３４０を透過する光は、光散乱材３４４で散乱され、光取り出し面２１に入射する。この入射角が臨界角未満の光は、光取り出し面２１から外部に放出される。一方、この入射角が臨界角以上の光の大部分は、光取り出し面２１で全反射された後、光取り出し面２１と、光反射面（例えば反射電極７０と有機層６０の界面）との間を１回以上往復する間に、光散乱材３４４によって繰り返し散乱され、臨界角未満の入射角に変化し、最終的に光取り出し面２１から取り出される。
【０１６１】
基材３４３は、基材３４３と透明電極５０との界面での反射を抑えるため、第１実施形態と同様に、透明電極５０との屈折率差が０．３以下の材料で構成されることが好ましい。基材３４３の屈折率は、透明電極５０の屈折率よりも高くても低くてもよいが、透明電極５０の屈折率以下であることが好ましい。
【０１６２】
基材３４３は、凹凸層３３０の基材３３３と異なる屈折率を有する。基材３４３は、透明基板２０よりも高い屈折率を有する透明電極５０と接するので、透明基板２０と接する凹凸層３３０の基材３３３よりも高い屈折率を有することが好ましい。
【０１６３】
光散乱材３４４は、基材３４３と異なる屈折率を有し、基材３４３よりも低い屈折率を有する空気、基材３４３よりも高い屈折率を有する金属酸化物、又は両方で構成される。金属酸化物としては、ジルコニア（ＺｒＯ２）、チタニア（ＴｉＯ２）、シリカ（ＳｉＯ２）、アルミナ（Ａｌ２Ｏ３）、酸化スズ（ＳｎＯ２）等が挙げられる。
【０１６４】
光散乱材３４４の平均球相当径（平均粒子径）は、好ましくは３００ｎｍ〜１０μｍである。光散乱材３４４の平均球相当径が１０μｍを超えると、光散乱材３４４が基材３４３中に分散しにくく、偏在しやすい。光散乱材３４４の平均球相当径が３００ｎｍ未満になると、可視光の波長よりも短すぎるので、レイリー散乱（図３参照）が支配的になり、後方散乱が強くなるので、光の取り出し効率が低下する。
【０１６５】
光散乱材３４４の平均球相当径が３００ｎｍ〜１０μｍの場合、ミー散乱（図４参照）が支配的になり、前方散乱が強くなり、凹凸層３４０内を伝播する光の向きを正面方向に揃えることができ、光取り出し面２１等の界面での全反射を低減できる。
【０１６６】
尚、本実施形態では凹凸層３３０及び平坦化層３４０の両方が光散乱材を含むが、いずれか一方が光散乱材を含んでいればよい。
【０１６７】
例えば、図１９に示すように、凹凸層３３０が光散乱材３３４を含み、平坦化層３４３が光散乱材３４４を含まなくてもよい。図１９に示す例（第１変形例）の場合、モスアイ構造３３１は、光の入射角や光の波長に関係なく反射率が低く（１％以下）、透過率が高く、光取り出し効率が良い。また、光取り出し面２１に臨界角以上の入射角で入射する光の大部分は、光取り出し面２１で全反射された後、光取り出し面２１と、光反射面（例えば反射電極７０と有機層６０の界面）との間を１回以上往復する間に、凹凸層３３０中の光散乱材３３４によって繰り返し散乱され、臨界角未満の入射角に変化し、最終的に光取り出し面２１から取り出される。また、凹凸層３３０中の散乱材３３４は、凹凸層３３０内を伝播する光の向きを正面方向に揃え、光取り出し面２１等の界面での全反射を抑え、光取り出し効率を向上する。
【０１６８】
また、図２０に示すように、平坦化層３４０が光散乱材３４４を含み、凹凸層３３３が光散乱材３３４を含まなくてもよい。図２０に示す例（第２変形例）の場合、モスアイ構造３３１は、光の入射角や光の波長に関係なく反射率が低く（１％以下）、透過率が高く、光取り出し効率が良い。また、光取り出し面２１に臨界角以上の入射角で入射する光の大部分は、光取り出し面２１で全反射された後、光取り出し面２１と、光反射面（例えば反射電極７０と有機層６０の界面）との間を１回以上往復する間に、平坦化層３４０中の光散乱材３４４によって繰り返し散乱され、臨界角未満の入射角に変化し、最終的に光取り出し面２１から取り出される。また、平坦化層３４０中の散乱材３４４は、平坦化層３４０内を伝播する光の向きを正面方向に揃え、光取り出し面２１等の界面での全反射を抑え、光取り出し効率を向上する。
【０１６９】
以上、有機ＬＥＤ素子用の積層基板等について第１〜第４実施形態等を説明したが、本発明は上記実施形態に制限されない。特許請求の範囲に記載された本発明の要旨の範囲内において、種々の変形、変更が可能である。
【符号の説明】
【０１７０】
１０    有機ＬＥＤ素子
１１    有機ＬＥＤ素子用の積層基板
１２    発光素子
２０    透明基板
３０    凹凸層
３１    回折格子
３３    基材
３４    光散乱材
４０    平坦化層
４３    基材
４４    光散乱材
５０    透明電極
６０    有機層
７０    反射電極
１３０  凹凸層
１３１  プリズム
２３０  凹凸層
２３１  レンズ
３３０  凹凸層
３３１  モスアイ構造
【図１】
2014013668.tif 000003
【図２】
2014013668.tif 000004
【図３】
2014013668.tif 000005
【図４】
2014013668.tif 000006
【図５】
2014013668.tif 000007
【図６】
2014013668.tif 000008
【図７】
2014013668.tif 000009
【図８】
2014013668.tif 000010
【図９】
2014013668.tif 000011
【図１０】
2014013668.tif 000012
【図１１】
2014013668.tif 000013
【図１２】
2014013668.tif 000014
【図１３】
2014013668.tif 000015
【図１４】
2014013668.tif 000016
【図１５】
2014013668.tif 000017
【図１６】
2014013668.tif 000018
【図１７】
2014013668.tif 000019
【図１８】
2014013668.tif 000020
【図１９】
2014013668.tif 000021
【図２０】
2014013668.tif 000022